(57)【要約】      （修正有）【課題】熱い飲み物から冷たい飲み物まで、ストローを使って飲むことが出来ると共に、飲み物の温度変化にも簡単な操作によって対応できる安全で安価に製作できるストローを提供する。【解決手段】空気穴３が設けられたストロー本体１の外側に筒状の付属品２を設ける。付属品２を上下にスライドすることにより空気穴３の総面積が変化することにより、熱い飲み物をその温度変化に応じて飲むことが出来る。【選択図】図１
2011244879.tif 000002
【特許請求の範囲】
【請求項１】
通常販売のストローの上方部に複数又は単数の空気穴の開いたストロー本体とそのストロー本体の外側を上下にスライドする筒状の付属品からなる特徴をもつ変温ストロー。
【請求項２】
前記ストロー本体は、空気穴を設けられており、その空気穴の総面積は最大ストローの飲み口の面積とする特徴とする。
【請求項３】
前記付属品は、ストロー本体を上下にスライドするが自然には下がらず力を加えないと動かないストロー本体の外径と付属品の内径になっておりスライドの位置により空気穴が全開から全て塞がれる状態に出来る特徴を持つ変温ストロー。
【発明の詳細な説明】
【技術分野】
【０００１】
本発明は、熱い飲み物から冷たい飲み物まで、そのときの飲み物の温度に応じて飲
む温度を簡単に変化させられる変温ストローに関する。
【背景技術】
【０００２】
従来のストローは、基本的には冷たい飲み物用になっており、熱い飲み物用に考えられた（実開平６−６１１７７）（特開２００４−２５５１５２）は熱い飲み物の温度を下げることは出来るが、空気穴が変化しないため、一定の温度しか対応できない。また、温度変化に対応できるように考えられた（特開２００２−２５３４１４）は販売されているのを確認することが出来なかったため実験することが出来なかったが、資料から確認するうえでは空気穴を確実に変化することが難しく、熱い飲み物から冷たい飲み物まで対応できるストローにするには、ストローの材質や製作過程を考えると相当難しく、たとえ出来たとしてもコスト的に高いものになると考える。
【０００３】
熱い飲み物用のストローが、販売されているのを見たことがない。
【先行技術文献】
【特許文献】
【０００４】
【特許文献１】実開平６−６１１７７
【特許文献２】特開２００２−２５３４１４
【特許文献３】特開２００４−２５５１５２
【発明の概要】
【発明が解決しようとする課題】
【０００５】
従来のストローでは、熱い飲み物を飲むことが出来ず飲物の温度の違いや飲む人の好みの温度の違いに対応できないことや、熱い飲み物の温度変化に対して簡単確実に対応できない。
【０００６】
本発明は、このような従来の構成が有していた問題を解決しようとするものであり、熱い飲み物から冷たい飲み物まで安価で安心して飲むことが出来るストローを実現することを目的とするものである。
【課題を解決するための手段】
【０００７】
本発明は、上記目的を達成するため請求項１に記載の変温ストローであり、通常販売しているストローの形状に複数又は単数の空気が流入するための空気穴が設け、その空気穴を開けたり塞いだりするためにストロー本体の外側を上下にスライドする筒状の付属部品とセットで機能したものである。
【０００８】
かかる構成により、熱い飲み物を飲み口から吸うとストローの飲み物流入口から熱い
飲み物が流入するが、それと同時に空気穴より熱い飲み物より温度の低い外気が入るため、熱い飲み物と外気がストロー内で混ざることになり、のみ口から温度が下がった飲み物を飲み口から飲むことが出来る。
【０００９】
また、上記目的を達成するために請求項２に記載のストロー本体の空気穴は、熱い飲み物を変温ストローで飲むときに空気穴が飲み物や唇で塞ぐことがないようにするため、ストロー本体の上方部に設ける。また空気穴の総面積を最大ストロー本体の吸い口の面積にしたのは、空気穴を全開にしたときにどんなに強くのみ口から吸っても熱い飲み物が飲み物流入口より飲み物が入ることがないようにするためである。
【００１０】
かかる構成により請求項１に記載の付属品を飲む人が動かさない限り空気穴が全開のため、熱い飲み物を飲むための安全を考えている。
【００１１】
請求項１に記載の付属品は、ストロー本体を上下にスライドすることにより、空気穴を全開から全て塞ぐことができ、付属品を一番下にすると空気穴が全開になり一番上にすると全て塞ぐことができる、また付属品は請求項３に記載されているように力を加えないと動かないストロー本体との内径と外形との関係になっており、自然に空気穴が開いたり塞がれることがないが、たとえ老朽化して付属品の内径が大きくなり使用中に下がったとしても、空気穴が開き飲み物は飲みにくくなるが危険はない。
【００１２】
かかる構成により請求項１に記載の付属品を上下にスライドすることにより、空気穴から入る空気の量を調整するだけではなく、同時にストロー本体の飲み物流入口から入る熱い飲み物の量も調節することになる。
また、付属品を下にすることにより空気の流入量が増え、飲み物流入口から入る熱い飲み物の量が減るため、ストロー本体の中で大量の外気温の空気と少量の熱い飲み物が混ざり飲物の温度を好みの温度にすることが出来る。
さらに、付属品を一番上にするとストロー内が負圧になり空気穴の部分で付属品が密着することになり、空気がもれなくなると同時にずれにくくなる、以上のことから安全確実に冷たい飲み物から熱い飲物まで簡単な調節で対応することができる。
【発明の効果】
【００１３】
以上説明したように本発明の変温ストローは、通常のストローでは飲めないほど熱い飲み物でも適温にして飲むことが出来ると共に、飲み物の温度変化にも対応したストローを提供できる。
【図面の簡単な説明】
【００１４】
【図１】本発明の、変温ストローを示した図で図(a)は斜視図と図(b)及び図(c)は部分拡大図である。
【図２】図(a)はストロー本体の平面図、図(b)は付属品を示した平面図である。
【発明を実施するための最良の形態】
【００１５】
以下、図面を参照して本発明の実施の形態について説明する。    
【００１６】
本発明の変温ストロー６は、図１(a)に示すようにストロー本体１と付属品２からなるもので、ストロー本体１には図１(b) 、図１(c)に示すような、複数又は単数の空気穴３が設けられたものである。
【００１７】
付属品２は、ストロー本体１を上下に移動することにより、図１(b)及び図１(c)に示すようにストロー本体１の空気穴３から入る空気を調整することが出来る。
【００１８】
よって、変温ストロー６は、付属品２を上下することによって、空気穴３の総面積を変化させることが出来る。そのことにより空気穴３から入る外気の量が変化すると同時に、飲み物流入口４から入る飲み物の量も変化するが、外気の量と飲み物の量は反比例する。すなわち空気穴３の総面積を増やすと外気量が増え、飲み物の量が減ることになり、ストロー本体１の中で外気と飲み物が混ざることにより、熱い飲物も温度を下げてのみ口５から飲むことが出来る。  
【００１９】
付属品２が一番下にセットしたときは、空気穴３が全開になり飲み口５からいくら吸っても空気穴３から入る空気だけしか吸う事が出来ず、付属品２が上にスライドするに従い空気穴３から入る空気が減ると共に、飲み物が飲み物流入口４より増えることになる。
また、付属品２が一番上にあるときは、付属品２により空気穴３が全て塞がれ空気穴３から空気がまったく入らない。そのため飲み口５から吸っただけ飲み物が、飲み物流入口４より入り、熱い飲み物から冷たい飲み物まで簡単な操作で対応できる。
【００２０】
図２(a)はストロー本体１の平面図であり、図２(b)は付属品２の平面図である。図
２(a)はストロー本体１で通常のストローの一部に穴を開けただけのものであり、図２(b)は付属品２でただの筒状の簡単なものである。よって商品製作にも容易に出来、安価に提供できる変温ストロー６である。
【００２１】
図２(a)はストロー本体１と図２(b)は付属品２の太さは、図２(a)のストロー本体１
の外径と図２(b)の付属品２の内径の関係は、自然には下がらず、力を加えない限り上がりも下がりもしない状態である。また、図２(b)の付属品２が老朽化することにより内径が大きくなり使用中に下がったとしても、空気穴３が開き飲み物が吸いにくくはなるが、設定した温度いかになるため危険はない。              
【符号の説明】
【００２２】
１  ストロー本体
２  付属品
３  空気穴
４  飲み物流入口
５  飲み口
６  変温システムストロー
【図１】
2011244879.tif 000003
【図２】
2011244879.tif 000004